(57)【特許請求の範囲】
【請求項１】
アクセスネットワークの集中型ユニット制御プレーン（CU−CP）エンティティにより、前記アクセスネットワークの集中型ユニットユーザプレーン（CU−UP）エンティティからインタフェースセットアップ要求メッセージを受信するステップであって、前記インタフェースセットアップ要求メッセージは、前記CU−UPでサポートされるネットワークスライスに関する情報を含む、ステップと、
前記インタフェースセットアップ要求メッセージを受信した後、前記CU−CPにより、インタフェースセットアップ応答メッセージを前記CU−UPに送信するステップと
を含む、通信方法。
【請求項２】
前記CU−UPでサポートされる前記ネットワークスライスに関する前記情報が、前記CU−UPでサービスされるパブリックランドモバイルネットワークのアイデンティティと、前記パブリックランドモバイルネットワークに対応するネットワークスライス識別子とを含む、請求項1に記載の通信方法。
【請求項３】
前記インタフェースセットアップ要求メッセージが、前記CU−UPのサービス範囲情報をさらに含み、前記サービス範囲情報は、前記CU−UPでサービスされるセルのアイデンティティを含む、請求項1または2に記載の通信方法。
【請求項４】
前記インタフェースセットアップ要求メッセージでセットアップを要求されたインタフェースが、E1インタフェースである、請求項1から3のいずれか一項に記載の通信方法。
【請求項５】
前記ネットワークスライス識別子が、単一ネットワークスライスの選択支援情報（S−NSSAI）またはS−NSSAIリストである、請求項2に記載の通信方法。
【請求項６】
前記インタフェースセットアップ要求メッセージが、前記CU−UPのキャパシティ情報をさらに含む、請求項1から5のいずれか一項に記載の通信方法。
【請求項７】
前記キャパシティ情報が、前記CU−UPの利用可能なリソースに関する情報、前記CU−UPのロード情報、または前記CU−UPの処理能力に関する情報のうちの少なくとも1つを含み、前記利用可能なリソースは、コンピューティングリソース、ソフトウェアリソース、ストレージリソース、またはポートリソースのうちの少なくとも1つを含む、請求項6に記載の通信方法。
【請求項８】
前記CU−UPの前記キャパシティ情報が、ネットワークスライス粒度で示される、請求項6または7に記載の通信方法。
【請求項９】
前記CU−CPが、前記アクセスネットワークでサポートされるネットワークスライスに関する情報をコアネットワークに送信し、前記アクセスネットワークでサポートされる前記ネットワークスライスは、前記CU−CPと前記CU−UPの両方でサポートされるネットワークスライスを含む、請求項1から8のいずれか一項に記載の通信方法。
【請求項１０】
前記CU−CPが、前記アクセスネットワークの分散型ユニット（DU）からF1インタフェースセットアップ要求メッセージを受信し、前記F1インタフェースセットアップ要求メッセージは、前記DUでサービスされるセルが属するアクセスネットワーク通知エリア（RNA）の識別情報を含む、請求項1から8のいずれか一項に記載の通信方法。
【請求項１１】
前記RNAの前記識別情報がRNAコードを含む、請求項10に記載の通信方法。
【請求項１２】
前記RNAの前記識別情報が、RNAコードおよびPLMNアイデンティティを含む、請求項10に記載の通信方法。
【請求項１３】
前記RNAに関する情報が、セル粒度により区別される、請求項10から12のいずれか一項に記載の通信方法。
【請求項１４】
アクセスネットワークの集中型ユニットユーザプレーン（CU−UP）エンティティにより、インタフェースセットアップ要求メッセージを前記アクセスネットワークの集中型ユニット制御プレーン（CU−CP）エンティティに送信するステップであって、前記インタフェースセットアップ要求メッセージは、前記CU−UPでサポートされるネットワークスライスに関する情報を含む、ステップと、
前記CU−UPにより、前記CU−CPからインタフェースセットアップ応答メッセージを受信するステップと
を含む、通信方法。
【請求項１５】
通信デバイスであって、
前記通信デバイスが、アクセスネットワークの集中型ユニット制御プレーン（CU−CP）エンティティであり、
前記アクセスネットワークの集中型ユニットユーザプレーン（CU−UP）エンティティからインタフェースセットアップ要求メッセージを受信するように構成された受信機であって、前記インタフェースセットアップ要求メッセージは、前記CU−UPでサポートされるネットワークスライスに関する情報を含む、受信機と、
インタフェースセットアップ応答メッセージを前記CU−UPに送信するように構成された第1の送信機と
を備える、通信デバイス。
【請求項１６】
前記通信デバイスが、第2の送信機をさらに備え、前記第2の送信機は、前記アクセスネットワークでサポートされるネットワークスライスに関する情報をコアネットワークデバイスに送信するように構成され、前記アクセスネットワークでサポートされる前記ネットワークスライスは、前記CU−CPと前記CU−UPの両方でサポートされるネットワークスライスを含む、請求項15に記載の通信デバイス。
【請求項１７】
前記通信デバイスが、前記アクセスネットワークの分散型ユニット（DU）からF1インタフェースセットアップ要求メッセージを受信するように構成された第2の受信機をさらに備え、前記F1インタフェースセットアップ要求メッセージは、前記DUでサービスされるセルが属するアクセスネットワーク通知エリア（RNA）の識別情報を含む、請求項15に記載の通信デバイス。
【請求項１８】
通信デバイスであって、
前記通信デバイスが、アクセスネットワークの集中型ユニットユーザプレーン（CU−UP）エンティティであり、
インタフェースセットアップ要求メッセージを前記アクセスネットワークの集中型ユニット制御プレーン（CU−CP）エンティティに送信するように構成された送信機であって、前記インタフェースセットアップ要求メッセージは、前記CU−UPでサポートされるネットワークスライスに関する情報を含む、送信機と、
前記CU−CPからインタフェースセットアップ応答メッセージを受信するように構成された第1の受信機と
を備える、通信デバイス。
【請求項１９】
コンピュータ可読記憶媒体であって、前記コンピュータ可読記憶媒体は命令を格納し、前記命令がコンピュータ上で実行されると、前記コンピュータは、請求項1から14のいずれか一項に記載の方法を実行することが可能になる、コンピュータ可読記憶媒体。
【請求項２０】
通信デバイスであって、プロセッサおよびメモリを備え、前記メモリは命令を格納し、前記命令は前記プロセッサによって実行され、前記命令が前記プロセッサによって実行されると、前記プロセッサは、請求項1から14のいずれか一項に記載の方法を実行する、通信デバイス。
【請求項２１】
チップであって、プロセッサおよびインタフェース回路を含み、前記インタフェース回路は、前記プロセッサに接続され、請求項1から14のいずれか一項に記載の方法を実行する、チップ。
【発明の詳細な説明】
【技術分野】
【０００１】
本出願は通信技術の分野に関し、特に、通信方法および通信デバイスに関する。
【背景技術】
【０００２】
通信技術の発展に伴い、新しいネットワークアーキテクチャが提案され、アクセスネットワーク内の基地局の機能が分離されている。基地局の一部の機能は、集中型ユニット（Centralized Unit，CU）に展開され、他の機能は、分散型ユニット（Distributed Unit，DU）に展開される。場合によっては、CUはさらに分離される。例えば、CUは、制御プレーンCU（CU−CP）およびユーザプレーンCU（CU−UP）を含み得る。このようなネットワークアーキテクチャでは、正常な通信を確保する方法は検討する価値のある問題である。
【発明の概要】
【課題を解決するための手段】
【０００３】
本出願は、前述のネットワークアーキテクチャでの通常の通信を確保するための通信方法と通信デバイスを提供する。
【０００４】
第1の態様によれば、通信方法が提供され、この方法は、アクセスネットワークの集中型ユニット制御プレーンCU−CPエンティティにより、アクセスネットワークの集中型ユニットユーザプレーンCU−UPエンティティからインタフェースセットアップ要求メッセージを受信するステップであって、インタフェースセットアップ要求メッセージは、CU−UPでサポートされるネットワークスライスに関する情報を含む、ステップと、インタフェースセットアップ要求メッセージを受信した後、CU−CPにより、インタフェースセットアップ応答メッセージをCU−UPに送信するステップと、を含む。
【０００５】
この実施形態では、CU−UPはインタフェースセットアップ要求を送信し、その結果、CU−CPは、CU−UPでサポートされるネットワークスライスを取得する。この場合、ネットワークスライスを考慮することにより、CU−CPは、CU−UPでサポートされるネットワークスライスを参照してセッションまたはベアラに適切なCU−UPを選択し、CU−UPがセッションまたはベアラに対応するネットワークスライスをサポートしていない場合に発生するセッションまたはベアラセットアップの失敗を回避し、通信の中断を回避し、通常の通信を確保することができる。さらに、CU−UPはインタフェースセットアップ要求を送信し、その結果、CU−CPは、CU−UPでサポートされるネットワークスライスをできるだけ早く取得する。CU−CPは、セッションまたはベアラをセットアップするときにのみ開始する必要はなく、CU−UPでサポートされるネットワークスライスを取得することで、シグナリングオーバーヘッドを節約し、遅延を回避し、効率的で通常の通信をさらに確保する。
【０００６】
可能な設計では、CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。この場合、CU−CPは、TA粒度、セル粒度、またはオペレータ粒度でCU−UPに展開されたネットワークスライス間の違いをさらに理解し、それによって通常の通信をさらに確保することができる。
【０００７】
可能な設計では、インタフェースセットアップ要求メッセージは、CU−UPでサポートされるネットワークスライスのキャパシティ情報をさらに含む。CU−UPでサポートされるネットワークスライスは、リソースが分離されているネットワークスライスを含み得る。CU−UPでサポートされるネットワークスライスは、リソースが共有されるネットワークスライスを代替的に含み得る。インタフェースセットアップ要求メッセージは、CU−UPでサポートされるネットワークスライスのキャパシティ情報をさらに含み、これにより、CU−CPはネットワークスライスのキャパシティ情報を詳細に把握し、キャパシティ情報の誤判断によるセッション拒否を回避し、さらに通信の中断を回避し、通信品質を確保する。
【０００８】
可能な設計では、CU−CPは、アクセスネットワークでサポートされるネットワークスライスに関する情報をコアネットワークデバイスに送信し、アクセスネットワークでサポートされるネットワークスライスは、CU−CPとCU−UPの両方でサポートされるネットワークスライスを含む。
【０００９】
可能な設計では、方法は、CU−CPにより、ロード要求メッセージをCU−UPに送信するステップであって、ロード要求メッセージは、CU−UPでサポートされるネットワークスライスのロード情報を取得するように要求するために使用される、ステップをさらに含む。任意選択で、ロード要求メッセージは、CU−UPでサポートされるネットワークスライスの識別子を含む。
【００１０】
可能な設計では、インタフェースセットアップ要求メッセージは、CU−UPのサービス範囲情報をさらに含む。サービス範囲情報は、CU−UPでサービスされるセルのアイデンティティ、CU−UPでサービスされるトラッキングエリアのアイデンティティ、CU−UPに接続された分散型ユニットDUのアイデンティティ、またはCU−UPでサービスされるパブリックランドモバイルネットワークのアイデンティティ、のうちの少なくとも1つを含む。情報は、CU−CPが適切なCU−UPを選択してUEにサービスを提供し、正常な通信を確保するのに役立ち得る。
【００１１】
可能な設計では、インタフェースセットアップ応答メッセージは、CU−CPでサポートされるネットワークスライスに関する情報を含む。
【００１２】
可能な設計では、インタフェースセットアップ応答メッセージは、CU−CPでサポートされるネットワークスライスのキャパシティ情報を含む。
【００１３】
第2の態様によれば、通信方法が提供され、この方法は、アクセスネットワークの集中型ユニットユーザプレーンCU−UPエンティティにより、インタフェースセットアップ要求メッセージをアクセスネットワークの集中型ユニット制御プレーンCU−CPエンティティに送信するステップであって、インタフェースセットアップ要求メッセージは、CU−UPでサポートされるネットワークスライスに関する情報を含む、ステップと、CU−UPにより、CU−CPからインタフェースセットアップ応答メッセージを受信するステップと、を含む。
【００１４】
可能な設計では、CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。
【００１５】
可能な設計では、インタフェースセットアップ要求メッセージは、CU−UPでサポートされるネットワークスライスのキャパシティ情報をさらに含む。
【００１６】
可能な設計では、方法は、CU−UPにより、ネットワーク管理システムから構成メッセージを受信するステップをさらに含み、構成メッセージは、CU−UPでサポートされるネットワークスライスに関する情報を含む。ネットワーク管理システムは、CU−UPでサポートされるネットワークスライスに関する情報をCU−UPに直接構成し、これにより、CU−UPでサポートされるネットワークスライスに関する情報がCU−CPに最初に構成され、CU−UPに転送され、シグナリングオーバーヘッドを削減する転送プロセスを回避する。
【００１７】
可能な設計では、方法は、CU−UPにより、CU−CPからロード要求メッセージを受信するステップをさらに含み、ロード要求メッセージは、CU−UPでサポートされるネットワークスライスのロード情報を取得するように要求するために使用される。さらに、任意選択で、CU−UPでサポートされるネットワークスライスの識別子がロード要求メッセージで伝達される。
【００１８】
可能な設計では、インタフェースセットアップ要求メッセージは、CU−UPのサービス範囲情報をさらに含む。サービス範囲情報は、CU−UPでサービスされるセルのアイデンティティ、CU−UPでサービスされるトラッキングエリアのアイデンティティ、CU−UPに接続された分散型ユニットDUのアイデンティティ、またはCU−UPでサービスされるパブリックランドモバイルネットワークのアイデンティティ、のうちの少なくとも1つを含む。
【００１９】
第3の態様によれば、通信デバイスが提供される。通信デバイスは、アクセスネットワークの集中型ユニット制御プレーンCU−CPエンティティである。通信デバイスは、アクセスネットワークの集中型ユニットユーザプレーンCU−UPエンティティからインタフェースセットアップ要求メッセージを受信するように構成された受信機を含み、インタフェースセットアップ要求メッセージは、CU−UPでサポートされるネットワークスライスに関する情報を含む。通信デバイスは、インタフェースセットアップ応答メッセージをCU−UPに送信するように構成された第1の送信機をさらに含む。
【００２０】
可能な設計では、CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。
【００２１】
可能な設計では、インタフェースセットアップ要求メッセージは、CU−UPでサポートされるネットワークスライスのキャパシティ情報をさらに含む。
【００２２】
可能な設計では、デバイスは、第2の送信機をさらに含む。第2の送信機は、アクセスネットワークでサポートされるネットワークスライスに関する情報をコアネットワークデバイスに送信するように構成される。アクセスネットワークでサポートされるネットワークスライスは、CU−CPとCU−UPの両方でサポートされるネットワークスライスを含む。
【００２３】
可能な設計では、第1の送信機は、ロード要求メッセージをCU−UPに送信するようにさらに構成される。ロード要求メッセージは、CU−UPでサポートされるネットワークスライスのロード情報を取得するように要求するために使用される。さらに、任意選択で、CU−UPでサポートされるネットワークスライスの識別子がロード要求メッセージで伝達される。
【００２４】
可能な設計では、インタフェースセットアップ要求メッセージは、CU−UPのサービス範囲情報をさらに含む。サービス範囲情報は、CU−UPでサービスされるセルのアイデンティティ、CU−UPでサービスされるトラッキングエリアのアイデンティティ、CU−UPに接続された分散型ユニットDUのアイデンティティ、またはCU−UPでサービスされるパブリックランドモバイルネットワークのアイデンティティ、のうちの少なくとも1つを含む。
【００２５】
第4の態様によれば、通信デバイスが提供される。通信デバイスは、アクセスネットワークの集中型ユニットユーザプレーンCU−UPエンティティである。通信デバイスは、インタフェースセットアップ要求メッセージをアクセスネットワークの集中型ユニット制御プレーンCU−CPエンティティに送信するように構成された送信機を含む。インタフェースセットアップ要求メッセージは、CU−UPでサポートされるネットワークスライスに関する情報を含む。通信デバイスは、CU−CPからインタフェースセットアップ応答メッセージを受信するように構成された第1の受信機をさらに含む。
【００２６】
可能な設計では、CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。
【００２７】
可能な設計では、インタフェースセットアップ要求メッセージは、CU−UPでサポートされるネットワークスライスのキャパシティ情報をさらに含む。
【００２８】
可能な設計では、通信デバイスは、第2の受信機をさらに含む。第2の受信機は、ネットワーク管理システムから構成メッセージを受信するように構成される。構成メッセージは、CU−UPでサポートされるネットワークスライスに関する情報を含む。
【００２９】
可能な設計では、第1の受信機は、CU−CPからロード要求メッセージを受信するようにさらに構成される。ロード要求メッセージは、CU−UPでサポートされるネットワークスライスのロード情報を取得するように要求するために使用される。さらに、任意選択で、CU−UPでサポートされるネットワークスライスの識別子がロード要求メッセージで伝達される。
【００３０】
可能な設計では、インタフェースセットアップ要求メッセージは、CU−UPのサービス範囲情報をさらに含む。サービス範囲情報は、CU−UPでサービスされるセルのアイデンティティ、CU−UPでサービスされるトラッキングエリアのアイデンティティ、CU−UPに接続された分散型ユニットDUのアイデンティティ、またはCU−UPでサービスされるパブリックランドモバイルネットワークのアイデンティティ、のうちの少なくとも1つを含む。
【００３１】
第5の態様によれば、通信方法が提供され、この方法は、アクセスネットワークの集中型ユニット制御プレーンCU−CPエンティティにより、ネットワーク管理システムから構成メッセージを受信するステップであって、構成メッセージは、アクセスネットワークの集中型ユニットユーザプレーンCU−UPエンティティでサポートされるネットワークスライスに関する情報を含む、ステップと、CU−CPにより、CU−UPからインタフェースセットアップ要求メッセージを受信するステップと、CU−CPにより、インタフェースセットアップ応答メッセージをCU−UPに送信するステップであって、インタフェースセットアップ応答メッセージは、CU−UPでサポートされるネットワークスライスに関する情報を含む、ステップと、を含む。
【００３２】
可能な設計では、CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。
【００３３】
可能な設計では、CU−CPは、アクセスネットワークでサポートされるネットワークスライスに関する情報をコアネットワークデバイスに送信し、アクセスネットワークでサポートされるネットワークスライスは、CU−CPとCU−UPの両方でサポートされるネットワークスライスを含む。
【００３４】
可能な設計では、方法は、CU−CPにより、ロード要求メッセージをCU−UPに送信するステップであって、ロード要求メッセージは、CU−UPでサポートされるネットワークスライスのロード情報を取得するように要求するために使用される、ステップをさらに含む。さらに、任意選択で、CU−UPでサポートされるネットワークスライスの識別子がロード要求メッセージで伝達される。
【００３５】
可能な設計では、アクセスネットワークにあり、CU−UPに接続されている分散型ユニットに関する情報は、インタフェースセットアップ要求メッセージでさらに伝達される。
【００３６】
第6の態様によれば、通信方法が提供され、この方法は、アクセスネットワークの集中型ユニットユーザプレーンCU−UPエンティティにより、インタフェースセットアップ要求メッセージをアクセスネットワークの集中型ユニット制御プレーンCU−CPエンティティに送信するステップと、CU−UPにより、CU−CPからインタフェースセットアップ応答メッセージを受信するステップであって、インタフェースセットアップ応答メッセージは、CU−UPでサポートされるネットワークスライスに関する情報を含む、ステップと、を含む。
【００３７】
可能な設計では、CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。
【００３８】
可能な設計では、方法は、CU−UPにより、ネットワーク管理システムから構成メッセージを受信するステップをさらに含み、構成メッセージは、CU−UPでサポートされるネットワークスライスに関する情報を含む。
【００３９】
可能な設計では、方法は、CU−UPにより、CU−CPからロード要求メッセージを受信するステップをさらに含み、ロード要求メッセージは、CU−UPでサポートされるネットワークスライスのロード情報を取得するように要求するために使用される。さらに、任意選択で、CU−UPでサポートされるネットワークスライスの識別子がロード要求メッセージで伝達される。
【００４０】
可能な設計では、アクセスネットワークにあり、CU−UPに接続されている分散型ユニットに関する情報は、インタフェースセットアップ要求メッセージでさらに伝達される。
【００４１】
第7の態様によれば、通信方法が提供され、この方法は、アクセスネットワークの集中型ユニットCUにより、アクセスネットワークの分散型ユニットDUからインタフェースセットアップ要求メッセージを受信するステップであって、インタフェースセットアップ要求メッセージは、DUでサービスされるセルが属するアクセスネットワーク通知エリアの識別情報を含む、ステップと、CUにより、インタフェースセットアップ応答メッセージをDUに送信するステップと、を含む。
【００４２】
可能な設計では、CUはCU制御プレーンCU−CPエンティティとCUユーザプレーンCU−UPエンティティを含む。CUにより、DUからインタフェースセットアップ要求メッセージを受信するステップは、CU−CPにより、DUからインタフェースセットアップ要求メッセージを受信するステップを含む。
【００４３】
可能な設計では、DUに接続されたCU−UPに関する情報は、インタフェースセットアップ要求メッセージでさらに伝達される。
【００４４】
可能な設計では、DUでサポートされるネットワークスライスのキャパシティ情報は、インタフェースセットアップ要求メッセージでさらに伝達される。
【００４５】
第8の態様によれば、通信方法が提供され、この方法は、アクセスネットワークの分散型ユニットDUにより、アクセスネットワークの集中型ユニットCUにインタフェースセットアップ要求メッセージを送信するステップであって、インタフェースセットアップ要求メッセージは、DUでサービスされるセルが属するアクセスネットワーク通知エリアの識別情報を含む、ステップと、DUにより、CUからインタフェースセットアップ応答メッセージを受信するステップと、を含む。
【００４６】
可能な設計では、DUにより、CUにインタフェースセットアップ要求メッセージを送信するステップは、DUにより、インタフェースセットアップ要求メッセージをCU制御プレーンCU−CPエンティティに送信するステップを含む。
【００４７】
可能な設計では、DUに接続されたCU−UPに関する情報は、インタフェースセットアップ要求メッセージでさらに伝達される。
【００４８】
可能な設計では、DUでサポートされるネットワークスライスのキャパシティ情報は、インタフェースセットアップ要求メッセージでさらに伝達される。
【００４９】
第9の態様によれば、通信方法が提供され、この方法は、アクセスネットワークの集中型ユニットCUにより、ユーザ機器UEコンテキスト解放コマンドメッセージをアクセスネットワークの分散型ユニットDUに送信するステップと、CUにより、DUによって送信されたUEコンテキスト解放完了メッセージを受信するステップであって、DU上のUEのコンテキストは、コンテキスト解放完了メッセージで伝達される、ステップと、を含む。
【００５０】
可能な設計では、指示情報はUEコンテキスト解放コマンドメッセージで伝達され、指示情報は、CUがUEを接続状態から非アクティブ状態に設定する必要があることを示すために使用される。
【００５１】
可能な設計では、指示情報はUEコンテキスト解放コマンドメッセージで伝達され、指示情報は、CUがDU上のUEのコンテキストを必要とすることを示すために使用される。
【００５２】
可能な設計では、DU上のUEのコンテキストは、UEのためにDUによってセットアップされたベアラに対応する識別情報、ベアラの論理チャネル構成情報、ベアラの論理チャネル識別情報、ベアラのRLCレイヤ構成情報、MACレイヤ構成情報、およびPHYレイヤ構成情報、UEのC−RNTI識別情報、ならびにDU上のUEがアクセスするセルに関する情報またはDU上のUEがアクセスできるセルに関する情報、のうちの少なくとも1つを含む。
【００５３】
第10の態様によれば、通信方法が提供され、この方法は、アクセスネットワークの分散型ユニットDUにより、アクセスネットワークの集中型ユニットCUからユーザ機器UEコンテキスト解放コマンドメッセージを受信するステップと、DUにより、UEコンテキスト解放完了メッセージを送信するステップであって、DU上のUEのコンテキストはコンテキスト解放完了メッセージで伝達される、ステップと、を含む。
【００５４】
可能な設計では、指示情報はUEコンテキスト解放コマンドメッセージで伝達され、指示情報は、CUがUEを接続状態から非アクティブ状態に設定する必要があることを示すために使用される。
【００５５】
可能な設計では、指示情報はUEコンテキスト解放コマンドメッセージで伝達され、指示情報は、CUがDU上のUEのコンテキストを必要とすることを示すために使用される。
【００５６】
可能な設計では、DU上のUEのコンテキストは、UEのためにDUによってセットアップされたベアラに対応する識別情報、ベアラの論理チャネル構成情報、ベアラの論理チャネル識別情報、ベアラのRLCレイヤ構成情報、MACレイヤ構成情報、およびPHYレイヤ構成情報、UEのC−RNTI識別情報、ならびにDU上のUEがアクセスするセルに関する情報またはDU上のUEがアクセスできるセルに関する情報、のうちの少なくとも1つを含む。
【００５７】
別の態様によれば、通信デバイスが提供される。通信デバイスは、第5の態様による方法でCU−CPによって実行される機能、第6の態様による方法でCU−UPによって実行される機能、第7の態様または第9の態様による方法でCUによって実行される機能、または第8の態様または第10の態様による方法でDUによって実行される機能を実装することができる。通信デバイスは、第5の態様から第10の態様のいずれか1つによる方法のステップを実行するための1つまたは複数の対応するユニットまたはモジュールを含む。言い換えると、1つのステップは、1つのユニットまたはモジュールによって実行され得る。場合によっては、2つのステップを実行するためのユニットまたはモジュールは、代替的に組み合わされてもよい。例えば、2つの送信ステップが同じユニットまたはモジュールで実行され得る。機能は、ハードウェアを用いて実現されてもよく、対応するソフトウェアを実行するハードウェアにより実現されてもよい。
【００５８】
別の態様によれば、通信デバイスが提供される。通信デバイスは、第1の態様または第5の態様による方法でCU−CPによって実行される機能、第2の態様または第6の態様による方法でCU−UPによって実行される機能、第7の態様または第9の態様による方法でCUによって実行される機能、または第8の態様または第10の態様による方法でDUによって実行される機能を実装することができる。通信デバイスは、プロセッサおよび通信インタフェースを含む。通信インタフェースは、プロセッサに接続され、前述の態様の方法でCU−CP、CU−UP、CU、またはDUの動作を実行する。具体的には、通信インタフェースは、送信および／または受信動作を実行することができる。
【００５９】
可能な設計では、通信デバイスはメモリを含む。メモリは命令を格納し、命令はプロセッサによって実行される。命令がプロセッサによって実行されているとき、通信インタフェースは、前述の態様の方法でCU−CP、CU−UP、CU、またはDUの動作を実行するように制御される。
【００６０】
別の態様によれば、チップが提供される。チップは、プロセッサおよびインタフェース回路を含む。インタフェース回路は、外部デバイスと情報を交換するように構成され、インタフェース回路はプロセッサに接続され、前述の態様の方法でCU−CP、CU−UP、CU、またはDUの動作を実行する。具体的には、インタフェース回路は、送信および／または受信動作を実行することができる。
【００６１】
可能な設計では、チップはメモリを含む。メモリは命令を格納し、命令はプロセッサによって実行される。命令がプロセッサによって実行されているとき、インタフェース回路は、前述の態様の方法でCU−CP、CU−UP、CU、またはDUの動作を実行するように制御される。
【００６２】
別の態様によれば、本出願の実施形態は、コンピュータ可読記憶媒体を提供する。コンピュータ可読記憶媒体は命令を格納し、命令がコンピュータ上で実行されると、コンピュータは前述の態様の方法を実行することが可能になる。
【００６３】
別の態様によれば、本出願の実施形態は、命令を含むコンピュータプログラム製品を提供する。コンピュータプログラム製品がコンピュータ上で実行されると、コンピュータは、前述の態様の方法を実行することが可能になる。
【図面の簡単な説明】
【００６４】
【図１】通信システムのネットワークアーキテクチャの概略図である。
【図２】通信システムで使用されるCU−DUの概略的なアーキテクチャ図である。
【図３】CUの概略的なアーキテクチャ図である。
【図４】別の通信システムのネットワークアーキテクチャの概略図である。
【図５】本発明の第1の実施形態による通信方法の概略図である。
【図６】本発明の第2の実施形態による通信方法の概略図である。
【図７】本発明の第3の実施形態による通信方法の概略図である。
【図８】本発明の第4の実施形態による通信方法の概略図である。
【図９】本発明の第5の実施形態による通信方法の概略図である。
【図１０】本発明の第6の実施形態による通信デバイスの概略図である。
【図１１】本発明の第7の実施形態による通信デバイスの概略図である。
【図１２】本発明の第8の実施形態による通信デバイスの概略図である。
【図１３】本発明の第9の実施形態によるチップの概略図である。
【発明を実施するための形態】
【００６５】
本出願で説明されているネットワークアーキテクチャとサービスシナリオは、本出願での技術的解決策を明確に説明することを目的としているが、本出願で提供される技術的解決策を制限することを意図していない。当業者は、ネットワークアーキテクチャが進化し、新しいサービスシナリオが出現するにつれて、本出願で提供される技術的解決策も同様の技術的問題に適用可能であることを知っているかもしれない。
【００６６】
本出願における文字「／」は、関連するオブジェクト間の「または」関係を示すことを理解されたい。
【００６７】
図1は、通信システムのネットワークアーキテクチャの概略図である。通信システムは、アクセスネットワークおよびコアネットワークを含む。アクセスネットワークは、次世代無線アクセスネットワーク（Next Generation Radio Access Network，NG−RAN）であってもよく、コアネットワークは、5Gコアネットワーク（5G Core Network，5GC）であってもよい。アクセスネットワークは、基地局（例えば、gNB）を含むことができ、gNBは、インタフェース（例えば、Xnインタフェース）を介して接続される。gNBは、インタフェース（例えば、Ngインタフェース）を介して5GCに接続される。コアネットワークは、アクセスおよびモビリティ管理機能（Access and Mobility management Function，AMF）を含んでもよい。コアネットワークは、ユーザプレーン機能（User Plane Function，UPF）をさらに含んでもよい。
【００６８】
図2は、通信システムで使用されるCU−DUの概略的なアーキテクチャ図である。図2に示されるように、基地局は、集中型ユニット（Centralized Unit，CU）および分散型ユニット（Distributed Unit，DU）を含み得る。基地局の機能が分かれている。基地局のいくつかの機能はCUに展開され、基地局の他の機能はDUに展開される。1つまたは複数のDUが存在してもよい。複数のDUが1つのCUを共有して、コストを節約し、ネットワーク拡張を容易にすることができる。CUとDUは、インタフェース（例えば、F1インタフェース）を介して接続される。CUは、インタフェース（例えば、Ngインタフェース）を介してコアネットワークに接続される。CUおよびDUの機能は、プロトコルスタックに基づいて分割され得る。可能な方法では、無線リソース制御（radio resource control，RRC）とパケットデータ収束プロトコル（packet data convergence protocol，PDCP）レイヤ、およびサービスデータ適応（Service Data Adaptation Protocol，SDAP）レイヤがCUに展開される。無線リンク制御（Radio Link Control，RLC）プロトコル、メディアアクセス制御（Media Access Control，MAC）、および物理レイヤ（physical layer，PHY）がDUに展開される。対応して、CUはRRC、PDCP、およびSDAPを処理できる。DUは、RLC、MAC、およびPHYを処理できる。なお、上記の機能分割は単なる一例であり、他の分割方法があってもよい。例えば、CUはRRC、PDCP、RLC、およびSDAPを処理することができ、DUはMAC、およびPHYを処理することができる。別の例として、CUはRRC、PDCP、RLC、SDAP、およびMACの一部（例えば、MACヘッダーの追加）を処理することができ、DUはPHYおよびMACの一部（例えば、スケジューリング）を処理することができる。CUおよびDUの名前は変わる可能性があり、前述の機能を実装することができる任意のアクセスネットワークノードは、本出願ではCUおよびDUと見なされ得る。
【００６９】
図3は、CUの概略的なアーキテクチャ図である。図3に示すように、CUは、制御プレーンCU（CU−CP）およびユーザプレーンCU（CU−UP）を含む。CU−CPとCU−UPを異なる物理デバイスに展開できる。あるいは、CU−CPとCU−UPを同じ物理デバイスに展開することもできる。CU−CPとCU−UPは、インタフェース（例えば、E1インタフェース）を介して接続される。CU−CPは、基地局がインタフェース（例えば、Ngインタフェース）を介してコアネットワークに接続されていることを示す。CU−CPはインタフェース（例えば、F1−Cインタフェース）を介してDUに接続され、CU−UPはインタフェース（例えば、F1−Uインタフェース）を介してDUに接続される。CU−CPが1つある場合と、1つまたは複数のCU−UPがある場合がある。複数のCU−UPが1つのCU−CPを共有する場合がある。CU−CPは主に制御プレーン機能を有する。CU−UPは主にユーザプレーン機能を有する。可能な実装では、5G基地局の場合、RRCレイヤはCU−CPに展開され得るが、SDAPレイヤはCU−CPに展開されない。CU−CPは、PDCP層の制御プレーン機能をさらに有することができる。例えば、CU−CPは、シグナリング無線ベアラ（signaling radio bearer，SRB）を処理することができる。SDAPレイヤはCU−UPに展開され得るが、RRCレイヤはCU−UPに展開されない。CU−UPは、例えば、データ無線ベアラ（DRB）を処理するなど、PDCP層のユーザプレーン機能をさらに有することができる。
【００７０】
図4は、別の通信システムのネットワークアーキテクチャの概略図である。通信システムは、ネットワーク管理システムおよび基地局を含む。ネットワーク管理システムは、運用、管理、および保守（Operation Administration and Maintenance，OAM）エンティティであり得る。基地局はCU−DUアーキテクチャのものである。CUは、CU−CPおよびCU−UPを含み得る。詳細については、図2および図3の説明を参照されたい。ネットワーク管理システムはCU−CPに接続され、CU−CPでネットワーク構成を実行する。ネットワーク管理システムはDUに接続され、DUでネットワーク構成を実行する。ネットワーク管理システムはCU−UPに接続され、CU−UPでネットワーク構成を実行する。場合によっては、ネットワーク管理システムがCU−UPに接続されていない。この場合、ネットワーク管理システムはCU−CPを使用してCU−UPを構成する。
【００７１】
通信技術の発展に伴い、ネットワークスライス（network slice，NS）の概念がさらに提案されている。ネットワークスライスの主なタイプには、拡張モバイルブロードバンド（enhanced mobile broadband，eMBB）サービス、大規模マシンタイプ通信（massive machine type communication，mMTC）サービス、および超信頼性と低遅延の通信（ultra-reliable and low latency communications，URLLC）サービスを含む。eMBBは主に、携帯電話やマルチメディアデバイスなど、レートとモビリティに対する要件が高い端末を対象としている。mMTCは主に、大規模、低モビリティ、低レートを必要とするモノのインターネットデバイスを対象としている。URLLCは主に、車両のインターネットやセキュリティ情報など、遅延と信頼性の厳しい要件を有するサービスまたはデバイスタイプを指す。例えば、携帯電話ユーザは、eMBBタイプのネットワークスライスにアクセスして、高速でダウンロードを実行したり、4K高精細ビデオを視聴したりできる。センサデバイスは、mMTCタイプのネットワークスライスにアクセスして、小さなデータパケットを送信し、システム構成を更新する。ユーザは、1つまたは複数またはすべてのネットワークスライスに同時にアクセスして、サービス要件を満たし、ユーザエクスペリエンスを向上させることができる。
【００７２】
図5は、本発明の第1の実施形態による通信方法を示している。図5に示すように、方法は以下のステップを含む。
【００７３】
501．CU−UPがインタフェースセットアップ要求メッセージをCU−CPに送信し、CU−CPがCU−UPからインタフェースセットアップ要求メッセージを受信する。インタフェースセットアップ要求メッセージでセットアップを要求されたインタフェースは、E1インタフェースであり得る。
【００７４】
インタフェースセットアップ要求メッセージは、CU−UPでサポートされるネットワークスライスに関する情報を含む。CU−UPでサポートされるネットワークスライスに関する情報は、CU−UPでサポートされるネットワークスライスの識別子であり得る。ネットワークスライスの識別子は、単一ネットワークスライスの選択支援情報（single-network slice selection assistance information，S−NSSAI）であり得る。あるいは、ネットワークスライスの識別子は、S−NSSAIリスト（S−NSSAI list）であってもよい。
【００７５】
ネットワークスライスは、ネットワーク上で部分的に展開され得る。例えば、一部の基地局はいくつかのタイプのネットワークスライスをサポートし、別の基地局は他のタイプのネットワークスライスをサポートする。基地局では、CUでサポートされるネットワークスライスとDUでサポートされるネットワークスライスも異なる場合がある。CUでは、CU−CPでサポートされるネットワークスライスとCU−UPでサポートされるネットワークスライスも異なる場合がある。異なるネットワークスライスに属するセッション（例えば、プロトコルデータユニットセッション、protocol data unit（PDU）セッション）またはベアラは、アクセスネットワーク側で異なるように構成される。UEのセッションまたはベアラをセットアップするとき、CU−CPは、セッションまたはベアラのサービングノードとして適切なCU−UPを選択する。CU−CPがCU−UPでサポートされる特定のネットワークスライスを知らない場合、CU−CPは、セッションまたはベアラに対応するネットワークスライスをサポートしないCU−UPを選択することがある。その結果、セッションのセットアップは失敗する。この実施形態では、CU−UPはインタフェースセットアップ要求を送信し、その結果、CU−CPは、CU−UPでサポートされるネットワークスライスを取得する。この場合、ネットワークスライスを考慮することにより、CU−CPは、CU−UPでサポートされるネットワークスライスを参照してセッションまたはベアラに適切なCU−UPを選択し、CU−UPがセッションまたはベアラに対応するネットワークスライスをサポートしていない場合に発生するセッションまたはベアラセットアップの失敗を回避し、通信の中断を回避し、通常の通信を確保することができる。さらに、CU−UPはインタフェースセットアップ要求を送信し、その結果、CU−CPは、CU−UPでサポートされるネットワークスライスをできるだけ早く取得する。CU−CPは、セッションまたはベアラをセットアップするときにのみ開始する必要はなく、CU−UPでサポートされるネットワークスライスを取得することで、シグナリングオーバーヘッドを節約し、遅延を回避し、効率的で通常の通信をさらに確保する。
【００７６】
任意選択で、CU−UPでサポートされるネットワークスライスに関する情報は、CU−UPでサービスされるトラッキングエリア（tracking area、略してTA）のアイデンティティと、トラッキングエリアに対応するネットワークスライス識別子を含む。TAのアイデンティティは、トラッキングエリアコード（tracking area code，TAC）またはトラッキングエリアアイデンティティ（tracking area identity／identifier，TAI）を使用することによって表すことができる。TAIには、TACおよびPLMNが含まれる場合がある。あるいは、CU−UPがサポートするネットワークスライスに関する情報は、CU−UPでサービスされるセル（cell list served by）のアイデンティティおよびセルに対応するネットワークスライス識別子を含む。あるいは、CU−UPでサポートされるネットワークスライスに関する情報は、CU−UPでサービスされるパブリックランドモバイルネットワーク（public land mobile network，PLMN）のアイデンティティと、パブリックランドモバイルネットワークに対応するネットワークスライス識別子を含む。あるいは、CU−UPでサポートされるネットワークスライスに関する情報は、CU−UPでサービスされる登録エリア（registration area，RA）のアイデンティティと、パブリックランドモバイルネットワークに対応するネットワークスライス識別子とを含む。RAのアイデンティティは、登録エリアコード（registration area code，RAC）または登録エリアアイデンティティ（registration area identity／identifier，RAI）を使用することによって表すことができる。あるいは、CU−UPでサポートされるネットワークスライスに関する情報は、CU−UPでサービスされるセル（cell list served by CU−UP）のアイデンティティと、セルが属するTAIに対応するネットワークスライス識別子とを含む。表1から表7は、CU−UPでサポートされるネットワークスライスに関する情報の7つの例を示している。
【００７７】
【表１】
0006988004.tif 000002
【００７８】
【表２】
0006988004.tif 000003
【００７９】
【表３】
0006988004.tif 000004
【００８０】
【表４】
0006988004.tif 000005
【００８１】
【表５】
0006988004.tif 000006
【００８２】
【表６】
0006988004.tif 000007
【００８３】
【表７】
0006988004.tif 000008
【００８４】
インタフェースセットアップ要求メッセージは、CU−UPのキャパシティ情報をさらに含み得る。キャパシティ情報は、CU−UPの利用可能なリソースに関する情報および／またはCU−UPのロード情報、および／またはCU−UPの処理能力（processing capacity）に関する情報であり得る。利用可能なリソースは、コンピューティングリソース、ソフトウェアリソース、ストレージリソース、またはポートリソース（利用可能なポートの数量など）のうちの少なくとも1つを含む。ロード情報は、現在のロードおよびCU−UPが現在耐えることができるロードのうちの少なくとも1つを含み得る。キャパシティ情報はスカラー値の場合がある。ネットワーク側が端末のベアラまたはセッションをセットアップするとき、CU−CPはキャパシティ情報を参照して適切なCU−UPを選択できる。例えば、CU−UPのキャパシティ情報に対応する値が大きいほど、CU−UPの処理能力が強いことを示す。別の同じケース（例えば、複数のCU−UPがすべて、セットアップする必要のあるセッションまたはベアラに対応するネットワークスライスをサポートする）の場合、CU−CPは、キャパシティ情報がより大きい値に対応するCU−UPをサービングCU−UPとして選択する。
【００８５】
任意選択で、CU−UPのキャパシティ情報がネットワークスライス粒度で示されてもよい。つまり、各ネットワークスライスのCU−UPのキャパシティ情報がネットワークスライスにフィードバックされる。CU−UPのキャパシティ情報は、具体的には、CU−UPでサポートされるネットワークスライスのキャパシティ情報であり得る。CU−UPでサポートされるネットワークスライスのキャパシティ情報は、利用可能なリソース情報、処理能力情報、および／またはCU−UPでサポートされるネットワークスライスのCU−UPのロード情報である。
【００８６】
異なるネットワークスライスのリソースは、CU−UPで互いに分離され得、ネットワークスライス粒度でより正確に通知され得る。これにより、CU−UPの全体的な能力が十分であっても、ネットワークスライスがオーバーロードになり、不適切なCU−UPが選択される状況を回避できる。例えば、CU−UP1はネットワークスライス1とネットワークスライス2をサポートし、ネットワークスライス1とネットワークスライス2は分離されたリソースを使用し、ネットワークスライス1の利用可能なリソース全体がCU−UPの利用可能なリソース全体の20％を占め、ネットワークスライス2の利用可能なリソース全体がCU−UPの利用可能なリソース全体の80％を占める。ネットワークスライス1のロードが高く（例えば、残りのリソースがCU−UPの利用可能なリソース全体の5％を占める）、ネットワークスライス2のロードが低い（例えば、残りのリソースがCU−UPの利用可能なリソース全体の75％を占める）と仮定される。キャパシティ情報がスライス粒度で示されていない場合、CU−CPは、CU−UP1がまだ低ロード状態にあると見なす。ユーザがネットワークスライス1のセッションのセットアップを要求した場合でも、CU−CPはユーザにサービスを提供するためにCU−UP1を選択し、その結果、セッション拒否が発生し、通信が中断され、通信品質が影響を受ける。ただし、ネットワークスライス粒度でキャパシティ情報が示されている場合は、このケースを回避できる。
【００８７】
CU−UPのキャパシティ情報を表8に示すことができる。
【００８８】
【表８】
0006988004.tif 000009
【００８９】
あるいは、CU−UPは、サポートされる各PLMNの各ネットワークスライスのキャパシティ情報をフィードバックしてもよい。例えば、異なるオペレータがアクセスネットワークデバイスを共有する場合、各PLMNでサポートされるネットワークスライスについて、CU−UPは対応するキャパシティ情報をフィードバックする。これを行う利点は、PLMNリソースが独立している場合、CU−CPの誤判断を回避できることである。具体的な例については、表9および表10を参照されたい。
【００９０】
【表９】
0006988004.tif 000010
【００９１】
【表１０】
0006988004.tif 000011
【００９２】
あるいは、CU−UPは、各トラッキングエリアの各ネットワークスライスのキャパシティ情報をフィードバックする、すなわち、各トラッキングエリアでサポートされるネットワークスライスの対応するキャパシティ情報をフィードバックしてもよい。具体的な例については、表11および表12を参照されたい。
【００９３】
【表１１】
0006988004.tif 000012
【００９４】
【表１２】
0006988004.tif 000013
【００９５】
確かに、複数のネットワークスライスがリソースを共有する場合、前述のキャパシティ情報は、リソースを共有するネットワークスライスのCU−UPのキャパシティ情報である可能性がある。
【００９６】
CU−UPのキャパシティ情報は、CU−CPがCU−UPのキャパシティを認識できるように、インタフェースセットアップ要求メッセージで伝達される。これは、UEまたはサービスのためのCU−CP、PDUセッション、またはUEによって要求されたDRBによる適切なCU−UPの選択を容易にする。例えば、UEが新しいセッションのセットアップを要求すると、RAN側（CU−CP、CU−UP、およびDUを含む）は、UEに関連するセッションまたはベアラをセットアップし、セットアップする必要のあるセッションまたはベアラにリソースを割り当てる必要がある。CU−CPがDU1およびDU2に接続されている場合、CU−CPはCU−UP1およびCU−UP2にさらに接続される。さらに、DU1は、CU−UP1およびCU−UP2のそれぞれとのインタフェースを有し、DU2は、CU−UP1およびCU−UP2のそれぞれとのインタフェースを有する。CU−CPは、UEのセッションまたはベアラをセットアップするためにCU−UP1またはCU−UP2を選択する必要がある。選択的に、CU−CPは、CU−UP1およびCU−UP2が、セットアップする必要のあるセッションまたはベアラに対応するネットワークスライスをサポートするかどうかを決定する。CU−UP1とCU−UP2の両方がネットワークスライスをサポートしている場合、CU−CPは、CU−UP1とCU−UP2からより強力な能力を有するCU−UP（例えば、CU−UP1）をさらに選択して、UEのセッションまたはベアラをセットアップする。このようにして、CU−UP間のロードがより分散されるため、ネットワークのリソース使用率が向上し、能力が不十分なCU−UPを選択することによるセッションセットアップの失敗も回避される。
【００９７】
インタフェースセットアップ要求メッセージは、CU−UPのサービス範囲情報をさらに含む。サービス範囲情報は、CU−UPでサービスされるセルのアイデンティティ、CU−UPでサービスされるトラッキングエリアのアイデンティティ、CU−UPに接続された分散型ユニットDUのアイデンティティ、またはCU−UPでサービスされるパブリックランドモバイルネットワークのアイデンティティ、のうちの少なくとも1つを含む。CU−UPでサービスされるセルにあり、サービス範囲情報に含まれるアイデンティティは、セルアイデンティティまたはセルアイデンティティリストであり得、CU−UPがこれらのセル内の端末にベアラをセットアップし得ることを示す。CU−UPに接続されている分散型ユニットDUにあり、サービス範囲情報に含まれているアイデンティティは、DUアイデンティティまたはDUアイデンティティリストであり得、CU−UPがこれらのDUの端末にベアラを設定し得ることを示す。CU−UPには、これらのDUとのデータプレーンインタフェースがある。範囲情報は、代替として、PLMNアイデンティティである場合があり、CU−UPがこれらのPLMN内の端末にベアラを設定し得ることを示す。範囲情報は、代替として、トラッキングエリアアイデンティティ（TACアイデンティティまたはTAIアイデンティティ）である場合があり、CU−UPがこれらのトラッキングエリア内の端末にベアラを設定し得ることを示す。確かに、範囲情報は、代替として、前述のアイデンティティ、例えばPLMNアイデンティティ＋セル（cell）アイデンティティの組み合わせであり得、CU−UPがセルのカバレッジ内にありかつPLMNにアクセスする端末にベアラをセットアップしてサービスを提供し得ることを示す。確かに、範囲情報は、代替として、TACアイデンティティ＋PLMNアイデンティティ＋セルアイデンティティなどの別の形式であってもよい。情報は、CU−CPが適切なCU−UPを選択してUEにサービスを提供し、正常な通信を確保するのに役立ち得る。例えば、UEは、セル1によってサービスされている（例えば、UEは、セル1へのRRC接続をセットアップしているか、またはセル1への接続をすでにセットアップしている）。UEがセッションまたはベアラをセットアップする必要がある場合、CU−CPは、サービス範囲にセル1を含むCU−UPを選択する必要がある。CU−CPがサービス範囲にセル1を含むCU−UPを選択しない場合、セッションセットアップの失敗が発生する。
【００９８】
502．CU−CPは、インタフェースセットアップ応答メッセージをCU−UPに送信し、インタフェースセットアップ応答メッセージは、インタフェースセットアップ要求メッセージに対する応答である。
【００９９】
任意選択で、CU−CPでサポートされるネットワークスライスに関する情報は、インタフェースセットアップ応答メッセージで伝達される。CU−CPでサポートされるネットワークスライスに関する情報は、CU−CPでサポートされるネットワークスライスの識別子であり得る。ネットワークスライスの識別子は、S−NSSAIまたはS−NSSAIリストであり得る。場合によっては、CU−CPでサポートされるネットワークスライスに関する情報は、CU−CPでサービスされるトラッキングエリアのアイデンティティと、トラッキングエリアに対応するネットワークスライス識別子とを含む。あるいは、CU−CPでサポートされるネットワークスライスに関する情報は、CU−CPでサービスされるセルのアイデンティティと、そのセルに対応するネットワークスライス識別子とを含む。あるいは、CU−CPでサポートされるネットワークスライスに関する情報は、CU−CPでサービスされるパブリックランドモバイルネットワークのアイデンティティと、パブリックランドモバイルネットワークに対応するネットワークスライス識別子とを含む。
【０１００】
CU−CPのキャパシティ情報は、インタフェースセットアップ応答メッセージでさらに伝達される。任意選択で、CU−CPのキャパシティ情報は、ネットワークスライス粒度で示されてもよい。
【０１０１】
ステップ501の前に、通信方法はステップ503をさらに含み得る：ネットワーク管理システムが構成情報をCU−UPに送信し、CU−UPはネットワーク管理システムから構成情報を受信する。CU−UPでサポートされるネットワークスライスに関する情報は、構成情報で伝達される。ネットワーク管理システムはOAMであってもよい。
【０１０２】
RANでサポートされるネットワークスライスをコアネットワーク（例えば、AMF）に通知するとき、CU−CPは、代替として、CU−CPおよびCU−UPの両方でサポートされるネットワークスライスを考慮してもよい。任意選択で、ステップ502の後、通信方法はステップ504をさらに含み得る：CU−CPが、アクセスネットワークでサポートされるネットワークスライスに関する情報をコアネットワークデバイスに送信する。アクセスネットワークでサポートされるネットワークスライスは、CU−CPとCU−UPの両方でサポートされるネットワークスライスを含む。つまり、CU−CPでサポートされるネットワークスライスとCU−UPでサポートされるネットワークスライスの共通部分セットである。CU−CPは、インタフェースセットアップ要求メッセージまたは構成更新要求メッセージを使用することによって、アクセスネットワークでサポートされるネットワークスライスに関する情報をコアネットワークデバイスに送信することができる。アクセスネットワークでサポートされるネットワークスライスに関する情報は、インタフェースセットアップ要求メッセージまたは構成更新要求メッセージで伝達される。
【０１０３】
任意選択で、図5に示す実施形態では、キャパシティ情報は、代替として、専用シグナリングを使用することによって送信されてもよい。図5に示すように、通信方法はステップ505をさらに含み得る：CU−UPがキャパシティ情報をCU−CPに送信し、CU−CPはCU−UPからキャパシティ情報を受信する。CU−UPのキャパシティ情報については、前述の説明を参照されたい。CU−UPのキャパシティ情報は、CU−UPでサポートされるネットワークスライスのキャパシティ情報であり得る。ステップ504の前に、通信方法はステップ506をさらに含み得る：CU−CPがキャパシティ要求メッセージをCU−UPに送信し、CU−UPはCU−CPからキャパシティ要求メッセージを受信する。このようにして、CU−CPは、要件に基づいてリアルタイムでCU−UPのキャパシティ情報を取得することができる。
【０１０４】
図5に示す実施形態は、代替として、構成更新プロセスに拡張され得る。対応して、ステップ501のインタフェースセットアップ要求メッセージは、構成更新要求メッセージに変更される必要がある。構成更新要求メッセージは、CU−UP構成更新要求メッセージであってもよい。ステップ502におけるインタフェースセットアップ応答メッセージは、構成更新応答メッセージに変更される必要がある。構成更新応答メッセージは、CU−UP構成更新応答メッセージであってもよい。構成更新要求メッセージで伝達される内容については、前述のインタフェースセットアップ要求メッセージで伝達される内容を参照されたい。構成更新応答メッセージで伝達される内容については、前述のインタフェースセットアップ応答メッセージで伝達される内容を参照されたい。
【０１０５】
図6は、本発明の第2の実施形態による通信方法を示している。図6に示すように、方法は以下のステップを含む：
【０１０６】
601．CU−UPがインタフェースセットアップ要求メッセージをCU−CPに送信し、CU−CPはCU−UPからインタフェースセットアップ要求メッセージを受信する。インタフェースセットアップ要求メッセージでセットアップを要求されたインタフェースは、E1インタフェースであり得る。
【０１０７】
ステップ601において、インタフェースセットアップ要求メッセージは、CU−UPのキャパシティ情報を含み得る。CU−UPのキャパシティ情報については、前述の説明を参照されたい。
【０１０８】
ステップ601の前に、通信方法はステップ603をさらに含み得る：ネットワーク管理システムOAMが構成情報をCU−CPに送信し、CU−CPはネットワーク管理システムから構成情報を受信する。CU−UPでサポートされるネットワークスライスに関する情報は、構成情報で伝達される。
【０１０９】
602．CU−CPがインタフェースセットアップ応答メッセージをCU−UPに送信する。
【０１１０】
任意選択で、ステップ602において、CU−CPのキャパシティ情報は、インタフェースセットアップ応答メッセージで伝達されてもよい。
【０１１１】
通信方法は、ステップ603をさらに含み得る：ネットワーク管理システムが構成情報をCU−CPに送信し、CU−CPはネットワーク管理システムから構成情報を受信する。CU−UPでサポートされるネットワークスライスに関する情報は、構成情報で伝達される。CU−UPでサポートされるネットワークスライスに関する情報ついては、前述の説明を参照されたい。
【０１１２】
ステップ603が実行されるとき、CU−UPでサポートされるネットワークスライスに関する情報は、ステップ602のインタフェースセットアップ応答メッセージで伝達され得る。
【０１１３】
この実施形態では、ステップ602の後、図5に示す実施形態のステップ504、ステップ505、およびステップ506は、要件に基づいて代替的に実行されてもよい。
【０１１４】
図6に示す実施形態は、代替として、構成更新プロセスに拡張され得る。対応して、ステップ601のインタフェースセットアップ要求メッセージは、構成更新要求メッセージに変更される必要がある。構成更新要求メッセージは、CU−UP構成更新要求メッセージであってもよい。ステップ602におけるインタフェースセットアップ応答メッセージは、構成更新応答メッセージに変更される必要がある。構成更新応答メッセージは、CU−UP構成更新応答メッセージであってもよい。構成更新要求メッセージで伝達される内容については、前述のインタフェースセットアップ要求メッセージで伝達される内容を参照されたい。構成更新応答メッセージで伝達される内容については、前述のインタフェースセットアップ応答メッセージで伝達される内容を参照されたい。
【０１１５】
図7は、本発明の第3の実施形態による通信方法を示している。図7に示すように、方法は以下のステップを含む：
【０１１６】
701．CU−CPがロード要求メッセージをCU−UPに送信し、CU−UPはCU−CPからロード要求メッセージを受信する。ロード要求メッセージは、CU−UPでサポートされるネットワークスライスのロード情報を取得するように要求するために使用される。
【０１１７】
任意選択で、CU−CPがCU−UP上のネットワークスライスのロード状態を取得することを期待していることを示すために、ネットワークスライスに関する情報、例えばネットワークスライス識別子が、ロード要求メッセージで伝達されてもよい。確かに、CU−CPが複数のネットワークスライスのロード状態を取得することを期待する場合、ネットワークスライス識別子のリストが伝達されてもよい。
【０１１８】
702．CU−UPがロード要求応答をCU−CPに送信し、CU−CPはCU−UPからロード要求応答を受信する。ロード要求応答は、CU−UP上のネットワークスライスのロード状態、例えば、CU−UPでサポートされる各セルでサポートされるネットワークスライスのロード状態を伝達することができる。ロード要求応答で伝達される具体的な情報については、表13および表14を参照されたい。
【０１１９】
【表１３】
0006988004.tif 000014
【０１２０】
【表１４】
0006988004.tif 000015
【０１２１】
（セルに関係なく）CU−UPによってサポートおよびサービスされるネットワークスライスのロード状態は、ロード要求応答でさらに伝達され得、例を表15に示す。
【０１２２】
【表１５】
0006988004.tif 000016
【０１２３】
あるいは、CU−UPは、サポートされる各PLMNの各ネットワークスライスのロード情報をフィードバックすることもできる。例えば、異なるオペレータがアクセスネットワークデバイスを共有する場合、各PLMNでサポートされるネットワークスライスについて、CU−UPは対応するロード情報をフィードバックする。これを行う利点は、PLMNリソースが独立している場合、CU−CPの誤判断を回避できることである。具体的な例については、表16および表17を参照されたい。
【０１２４】
【表１６】
0006988004.tif 000017
【０１２５】
【表１７】
0006988004.tif 000018
【０１２６】
あるいは、CU−UPは、各トラッキングエリアの各ネットワークスライスのロード情報をフィードバックする、すなわち、各トラッキングエリアでサポートされるネットワークスライスの対応するロード情報をフィードバックしてもよい。具体的な例については、表18および表19を参照されたい。
【０１２７】
【表１８】
0006988004.tif 000019
【０１２８】
【表１９】
0006988004.tif 000020
【０１２９】
確かに、複数のネットワークスライスがリソースを共有する場合、前述のキャパシティ情報は、リソースを共有するネットワークスライスのCU−UPのロードに関する情報であってもよい。
【０１３０】
図7に示す実施形態は、独立して存在してもよく、または前述の実施形態と組み合わせてもよい。例えば、図7に示す実施形態は、図5に示す実施形態のステップ502または図6に示す実施形態のステップ602の後に実行される。
【０１３１】
図8は、本発明の第4の実施形態による通信方法を示している。図8に示すように、方法は以下のステップを含む。
【０１３２】
801．DUがインタフェースセットアップ要求メッセージをCUに送信し、CUはDUからインタフェースセットアップ要求メッセージを受信する。インタフェースセットアップ要求メッセージでセットアップを要求されたインタフェースは、F1インタフェースであり得る。
【０１３３】
DUでサービスされるセルが属するアクセスネットワーク通知エリア（RAN Notification Area，RNA）の識別情報は、インタフェースセットアップ要求メッセージで伝達され得る。RNA識別情報は、RNAコード（RNA Code）であってもよい。RNAコードは、TACに類似したコードのグループであってもよい。あるいは、RNA識別情報は、代替として、RNAアイデンティティ（RNA Identifier／Identity，RNA ID）であってもよい。例えば、RNA IDは、RNAC＋PLMNの形で表されてもよい。すなわち、RNA IDは、セルのRNACおよびPLMNの両方を表すことができる。あるいは、RNA IDは、RNAC＋TAIの形で表されてもよい。すなわち、RNA IDは、セルのRNACおよびTAIの両方を表すことができる。確かに、RNA識別情報は、別の方法で代替的に表現されてもよい。
【０１３４】
RNA識別情報は、特定の範囲内でセルが属するRNAを一意に識別するために使用され得る。セルは、RNA識別情報をブロードキャストすることにより、セルが属するRNA識別情報の端末を通知してもよい。複数のセルが同じRNA識別情報をブロードキャストしてもよいし、異なるRNA識別情報をブロードキャストしてもよい。複数のセルが同じRNA識別情報をブロードキャストする場合、これらのセルは同じRNAに属する。複数のセルが異なるRNA識別情報をブロードキャストする場合、これらのセルは異なるRNAに属する。本明細書のRNA識別情報は、無線アクセスネットワークページングエリア（RAN paging area，RPA）の識別情報と呼ばれることもある。
【０１３５】
RNAは、1つまたは複数のセルを含み得る。RNAが複数のセルを含む場合、複数のセルは1つのネットワークデバイスに属してもよく、または異なるネットワークデバイスに属してもよい。異なるネットワークデバイスは、同じ無線アクセス技術（radio access technology，RAT）のネットワークデバイスであってもよく、異なるRATのネットワークデバイスであってもよい。例えば、ネットワークデバイスは、4．5GネットワークにおけるeNBであってもよく、5GネットワークにおけるgNBであってもよい。RNA内を移動するとき、Inactive状態の端末はネットワークに通知しない場合がある。代わりに、端末は端末のモビリティに基づいてセルを再選択し、定期的にRNAを更新するだけである。Inactive状態の端末がRNA外のセルに移動した場合、端末はネットワークに通知してRNAを更新する必要がある。RNA更新は、ロングタームエボリューション（Long Term Evolution，LTE）ネットワークにおけるトラッキングエリア更新（Tracking Area Update，TAU）に似ている。
【０１３６】
非アクティブ状態は、無線リソース制御（radio resource control，RRC）非アクティブ状態とも呼ばれ、5Gで新たに定義された通信状態である。通信状態は、独立した通信状態、すなわち、RRC接続（Connected／Active）状態およびRRCアイドル（Idle）状態以外の独立状態として理解されてもよく、または接続状態もしくはアイドルモードの通信サブ状態として理解されてもよい。Inactive状態の端末は、以下の特徴の少なくとも1つを備え得る：A．アクセス層（Access Stratum，AS）内の端末のコンテキスト情報は、端末側と無線アクセスネットワーク（radio access network，RAN）側の両方で予約されている。B．端末がInactive状態からRRC接続状態に変わるとき、ネットワークデバイスとコアネットワークの制御プレーンネットワーク要素との間のリンクを再アクティブ化する必要はない。例えば、基地局側とコアネットワーク側との間のリンクを再アクティブ化する必要はない。端末のモビリティは、ハンドオーバーではなくセル再選択によって実装される。
【０１３７】
CU−DUアーキテクチャでは、CUがユーザの接続（Connected）状態を非アクティブ（Inactive）状態に設定すると決定した場合、CUはRNAをユーザに割り当てる。CUがDUでサービスされるセルのRNA IDを知らない場合、CUは、RNAをセルアイデンティティリストとして構成することによって、つまりセルアイデンティティリストを使用することによってのみ、ユーザに割り当てられたRNAエリアを示すことができる。この場合、エアインタフェースリソースのオーバーヘッドが発生する。1つのRNAエリアは、複数のセルに関連している場合がある。関連するセルが多いほど、エアインタフェースのオーバーヘッドが高くなる。本出願では、CUはインタフェースセットアップ要求を使用して、DUでサービスされるセルのRNA IDを取得する。この場合、CUはRNAエリアをRNA ID（またはRAN ID list）の形式で構成し得る。複数のセルが1つのRNA IDを共有する可能性があるため、RNA IDを使用すると、セルアイデンティティリストを使用する場合よりもエアインタフェースシグナリングのオーバーヘッドを減らすことができる。CUは、DUでサービスされるセルのRNA IDを取得し、RNA ID（list）を端末に割り当て得る。
【０１３８】
RNA情報がインタフェースセットアップ要求メッセージで伝達される形式を、表20に示すことができる。表20では、RNA情報はDUによってサービスされるRNAであり、セル粒度によって区別されていない。
【０１３９】
【表２０】
0006988004.tif 000021
【０１４０】
RNA情報がインタフェースセットアップ要求メッセージで伝達される形式は、表21、表22、または表23に示すことができる。表21、表22、または表23では、RNA情報はセル粒度によって区別される。
【０１４１】
【表２１】
0006988004.tif 000022
【０１４２】
【表２２】
0006988004.tif 000023
【０１４３】
【表２３】
0006988004.tif 000024
【０１４４】
任意選択で、DUのキャパシティ情報は、インタフェースセットアップ要求メッセージで伝達されてもよい。DUのキャパシティ情報については、前述のCU−UPのキャパシティ情報の説明を参照されたい。キャパシティ情報は、DUの利用可能なリソースに関する情報、DUのロード情報、および／またはDUの処理能力（processing capacity）に関する情報であり得る。任意選択で、DUのキャパシティ情報は、ネットワークスライス粒度で示されてもよい。つまり、各ネットワークスライスのDUのキャパシティ情報がネットワークスライスにフィードバックされる。DUのキャパシティ情報は、具体的には、DUでサポートされるネットワークスライスのキャパシティ情報であり得る。DUでサポートされるネットワークスライスのキャパシティ情報は、利用可能なリソース情報、処理能力情報、および／またはDUでサポートされるネットワークスライスのDUのロード情報である。
【０１４５】
802．CUがインタフェースセットアップ応答メッセージをDUに送信し、DUはCUからインタフェースセットアップ応答メッセージを受信する。
【０１４６】
任意選択で、CUのキャパシティ情報は、インタフェースセットアップ応答メッセージで伝達されてもよい。CUのキャパシティ情報については、前述の説明を参照されたい。
【０１４７】
CUはCU−CPおよびCU−UPアーキテクチャを使用できる。すなわち、CUは、CU制御プレーンエンティティCU−CPおよびCUユーザプレーンエンティティCU−UPを含む。ステップ801で、DUがインタフェースセットアップ要求メッセージをCUに送信することは、具体的には、DUがインタフェースセットアップ要求メッセージをCU−CPに送信することを含む。対応して、インタフェースセットアップ要求メッセージでセットアップするように要求されたインタフェースは、F1−Cインタフェースであり得る。
【０１４８】
任意選択で、DUに接続されたCU−UPの識別情報は、インタフェースセットアップ要求メッセージでさらに伝達されてもよい。DUに接続されているCU−UPの識別情報は、CU−CPに送信されるインタフェースセットアップ要求メッセージで伝達されるため、CU−CPは、DUに接続されているCU−UPに関する情報を取得する。このようにして、CU−CPは適切なCU−UPを選択してUEにサービスを提供する。例えば、UEは、DU1からアクセスするか、またはDU1によってサービスされている（例えば、UEは、DU1へのRRC接続をセットアップしているか、またはDU1への接続をすでにセットアップしている）。UEがセッションまたはベアラをセットアップする必要がある場合、CU−CPは、DU1へのF1−U接続を有するCU−UPを選択する必要がある。
【０１４９】
図8に示す実施形態は、代替として、構成更新プロセスに拡張され得る。対応して、ステップ801のインタフェースセットアップ要求メッセージは、構成更新要求メッセージに変更される必要がある。構成更新要求メッセージは、DU構成更新要求メッセージであってもよい。ステップ802のインタフェースセットアップ応答メッセージは、構成更新応答メッセージに変更される必要がある。構成更新応答メッセージは、DU構成更新応答メッセージであってもよい。
【０１５０】
図9は、本発明の第5の実施形態による通信方法を示している。図9に示すように、方法は以下のステップを含む：
【０１５１】
901．CUがユーザ機器コンテキスト解放コマンド（UE context release command）メッセージをDUに送信し、DUはUE context release commandメッセージを受信する。
【０１５２】
902．CUが、DUによって送信されたUEコンテキスト解放完了（UE context release complete）メッセージを受信し、CUは、DUによって送信されたUEコンテキスト解放完了メッセージを受信する。DU上のUEのコンテキストは、コンテキスト解放完了メッセージで伝達される。
【０１５３】
任意選択で、指示情報はUEコンテキスト解放コマンドメッセージで伝達され、指示情報は、CUがUEを接続状態から非アクティブ状態に設定する必要があることを示すために使用される。指示情報は、原因（cause）情報であっても、情報要素（IE）であってもよい。
【０１５４】
任意選択で、指示情報はUEコンテキスト解放コマンドメッセージで伝達され、指示情報を使用して、CUがDU上のUEのコンテキストを必要とすることを示す。具体的には、指示情報を使用して、UEのコンテキストを削除する前に、DUがCUに、DU上のUEのコンテキストを送信することを示すことができる。指示情報は、情報要素（IE）であってよい。
【０１５５】
DU上のUEのコンテキストは、UEのためにDUによってセットアップされたベアラに対応する識別情報、ベアラの論理チャネル構成情報、ベアラの論理チャネル識別情報、ベアラのRLCレイヤ構成情報、MACレイヤ構成情報、およびPHYレイヤ構成情報、UEのセル無線ネットワーク一時識別子（cell radio network temporary identifier，C−RNTI）の識別情報、またはDU上のUEがアクセスするセルに関する情報もしくはDU上のUEがアクセスできるセルに関する情報、のうちの少なくとも1つを含む。コンテキストは、コンテナの形式でも、別の形式でもよい。
【０１５６】
CUが、UEの接続状態をInactive状態に変更することを決定した場合、CUは、UEがキャンプしているソースDUに、UEのコンテキストを解放するように指示する必要がある。ただし、Inactive状態の端末の場合、UEがconnected状態に再開（resume）する必要があるとき、新しいサービング基地局または新しいサービングDUは、ソースCUまたはキャンプされたソース基地局から端末のコンテキスト情報を取得する。次に例を示す：
【０１５７】
（1）DU間（inter-DU）およびCU内（intra-CU）の移動シナリオ。つまり、inactive UEは、キャンプされたソースDU1から新しいDU2（新しいサービングDU）にすでに移動しているが、inactive UEは、キャンプされたソースCU1のサービングエリアの外に移動しない。inactive UEがconnected状態への再開を期待するとき、CU1は、例えば、関連するベアラ（DRBおよび／またはSRB）の構成をセットアップするなど、DU2にUEのコンテキストをセットアップするように要求し、リソースを割り当て、ユーザにサービスを提供する。この場合、CUは、DU1の以前のコンテキスト情報（例えば、ベアラの構成情報）をDU2に通知する必要があるので、DU2は、構成に基づいて差別化された構成を実行する。
【０１５８】
（2）DU間（inter-DU）およびCU間（inter-CU）の移動シナリオ。すなわち、inactive UEは、すでに、キャンプされたソースDU1から新しいDU2に移動し、キャンプされたソースCU1から新しいCU2（新しいサービングCU）に移動している。inactive UEがconnected状態への再開を期待するとき、CU2およびDU2は、例えば、関連するベアラ（DRBおよび／またはSRB）をセットアップするなど、UEのためのコンテキストをセットアップし、ユーザにサービスを提供する。この場合、CU2は、CU1から、DU1およびCU1のコンテキスト情報を含む以前のコンテキスト情報（例えば、ベアラの構成情報）を要求し、DU1の以前の構成情報をDU2に通知する必要があるため、DU2はその構成に基づいて差別化された構成を実行する。
【０１５９】
（3）アクセスネットワーク間（inter-RAN）の移動シナリオ。つまり、inactive UEがキャンプされたソースDU1およびCU1からgNB2にすでに移動しており、gNB2はCU−DUアーキテクチャにない。inactive UEがconnected状態に再開することを期待するとき、gNB2は、例えば、関連するベアラ（DRBおよび／またはSRB）をセットアップするなど、UEのコンテキストをセットアップし、ユーザにサービスを提供する。この場合、gNB2は、CU1から、DU1およびCU1のコンテキスト情報を含む以前のコンテキスト情報（例えば、ベアラの構成情報）を要求するので、gNB2は、構成に基づく差別化された構成を実行する。
【０１６０】
UEのinactive状態をconnected状態に変更する必要がある場合、新しいサービングノードはキャンプされたソースDUのコンテキスト情報を取得する必要があるが、キャンプされたソース基地局またはDUはDUに関連するコンテキストをすでに削除している。そのため、正常に通信できない。本出願では、CUは、UEのコンテキストを取得することができ、コンテキストを格納することができる。このようにして、Inactiveユーザは、別のDUまたは基地局が接続状態にresumeしたときにコンテキストを取得して使用できるため、通常の通信が確保される。
【０１６１】
上記は、通信デバイス間の相互作用の観点から、本出願の実施形態における解決策を主に説明している。前述の機能を実装するために、通信デバイスは、様々な機能を実行するための対応するハードウェア構造および／またはソフトウェアモジュールを含むことが理解され得る。当業者は、本明細書に開示された実施形態を参照して説明された例におけるユニットおよびアルゴリズムステップが、本出願におけるハードウェアまたはハードウェアとコンピュータソフトウェアの組み合わせの形で実装できることを容易に認識するはずである。機能がハードウェアによって実行されるのか、コンピュータソフトウェアによって駆動されるハードウェアによって実行されるのかは、特定のアプリケーションおよび技術的解決策の設計制約条件に依存する。当業者は、特定の各アプリケーションのために説明した機能を実装するために異なる方法を使用することができるが、このような実装が本出願の範囲外であると考えられるべきではない。
【０１６２】
本願の実施形態では、CU、DU、CU−CP、CU−UPなどは、前述の方法の例に基づいて機能ユニットに分割され得る。例えば、機能ユニットは、対応する機能に基づいて分割することによって得られてもよく、または2つ以上の機能が1つの機能ユニットに統合されてもよい。統合ユニットは、ハードウェアの形態で実装されてもよく、またはソフトウェア機能ユニットの形態で実装されてもよい。本出願の実施形態におけるユニット分割は例であり、単なる論理機能分割であることに留意されたい。実際の実装中に、別の分割方法があってもよい。
【０１６３】
図10は、本発明の第6の実施形態による通信デバイスの概略図である。図10は、前述の実施形態におけるCU−CPの可能な概略構造図である。図10に示されるように、通信デバイス1000は、アクセスネットワークの集中型ユニット制御プレーンCU−CPエンティティである。通信デバイス1000は、アクセスネットワークの集中型ユニットユーザプレーンCU−UPエンティティからインタフェースセットアップ要求メッセージを受信するように構成された受信機103を含む。インタフェースセットアップ要求メッセージは、CU−UPでサポートされるネットワークスライスに関する情報を含む。通信デバイス1000は、インタフェースセットアップ応答メッセージをCU−UPに送信するように構成された第1の送信機101をさらに含む。
【０１６４】
CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。
【０１６５】
インタフェースセットアップ要求メッセージは、CU−UPでサポートされるネットワークスライスのキャパシティ情報をさらに含む。
【０１６６】
通信デバイスは、第2の送信機105をさらに含む。第2の送信機105は、アクセスネットワークでサポートされるネットワークスライスに関する情報をコアネットワークデバイスに送信するように構成される。アクセスネットワークでサポートされるネットワークスライスは、CU−CPとCU−UPの両方でサポートされるネットワークスライスを含む。本出願では、第1の送信機101および第2の送信機105は、同じ送信機であってもよく、または異なる送信機であってもよい。
【０１６７】
第1の送信機101は、ロード要求メッセージをCU−UPに送信するようにさらに構成される。ロード要求メッセージは、CU−UPでサポートされるネットワークスライスのロード情報を取得するように要求するために使用される。任意選択で、CU−UPでサポートされるネットワークスライスの識別子が、ロード要求メッセージで伝達される。
【０１６８】
インタフェースセットアップ要求メッセージは、CU−UPのサービス範囲情報をさらに含む。サービス範囲情報は、CU−UPでサービスされるセルのアイデンティティ、CU−UPでサービスされるトラッキングエリアのアイデンティティ、CU−UPに接続された分散型ユニットDUのアイデンティティ、またはCU−UPでサービスされるパブリックランドモバイルネットワークのアイデンティティ、のうちの少なくとも1つを含む。
【０１６９】
図11は、本発明の第7の実施形態による通信デバイスの概略図である。図11は、前述の実施形態におけるCU−UPの可能な概略構造図である。図11に示されるように、通信デバイス1100は、アクセスネットワークの集中型ユニットユーザプレーンCU−UPエンティティである。通信デバイス1100は、インタフェースセットアップ要求メッセージをアクセスネットワークの集中型ユニット制御プレーンCU−CPエンティティに送信するように構成された送信機113を含む。インタフェースセットアップ要求メッセージは、CU−UPでサポートされるネットワークスライスに関する情報を含む。通信デバイス1100は、CU−CPからインタフェースセットアップ応答メッセージを受信するように構成された第1の受信機111をさらに含む。
【０１７０】
CU−UPでサポートされるネットワークスライスに関する情報は、CU−UPでサービスされるトラッキングエリアのアイデンティティと、トラッキングエリアに対応するネットワークスライス識別子、CU−UPでサービスされるセルのアイデンティティとセルに対応するネットワークスライス識別子、またはCU−UPでサービスされるパブリックランドモバイルネットワークのアイデンティティとパブリックランドモバイルネットワークに対応するネットワークスライス識別子を含む。
【０１７１】
インタフェースセットアップ要求メッセージは、CU−UPでサポートされるネットワークスライスのキャパシティ情報をさらに含む。
【０１７２】
通信デバイス1100は、第2の受信機115をさらに含む。第2の受信機115は、ネットワーク管理システムから構成メッセージを受信するように構成され、構成メッセージは、CU−UPでサポートされるネットワークスライスに関する情報を含む。本出願では、第1の受信機111および第2の受信機115は、同じ送信機であってもよく、または異なる送信機であってもよい。
【０１７３】
第1の受信機111は、CU−CPからロード要求メッセージを受信するようにさらに構成される。ロード要求メッセージは、CU−UPでサポートされるネットワークスライスのロード情報を取得するように要求するために使用される。さらに、任意選択で、CU−UPでサポートされるネットワークスライスの識別子がロード要求メッセージで伝達される。
【０１７４】
インタフェースセットアップ要求メッセージは、CU−UPのサービス範囲情報をさらに含む。サービス範囲情報は、CU−UPでサービスされるセルのアイデンティティ、CU−UPでサービスされるトラッキングエリアのアイデンティティ、CU−UPに接続された分散型ユニットDUのアイデンティティ、またはCU−UPでサービスされるパブリックランドモバイルネットワークのアイデンティティ、のうちの少なくとも1つを含む。
【０１７５】
図12は、本発明の第8の実施形態による通信デバイスの概略図である。図12に示すように、通信デバイス1200は、図5から図9に示す任意の実施形態の方法で、CU−CP、CU−UP、CU、またはDUの動作を実行することができる。通信デバイス1200は、プロセッサおよび通信インタフェース1203を含む。通信インタフェース1203は、プロセッサに接続され、前述の態様の方法でCU−CP、CU−UP、CU、またはDUの動作を実行する。具体的には、通信インタフェース1203は、送信および／または受信動作を実行することができる。
【０１７６】
任意選択で、通信デバイス1200は、メモリ1205をさらに含む。メモリ1205は命令を格納し、命令はプロセッサによって実行される。命令がプロセッサによって実行されているとき、通信インタフェース1203は、前述の態様の方法でCU−CP、CU−UP、CU、またはDUの動作を実行するように制御される。
【０１７７】
図13は、本発明の第9の実施形態によるチップの概略図である。図13に示すように、チップ1300は、プロセッサ1301およびインタフェース回路1303を含む。インタフェース回路1303は、外部デバイスと情報を交換するように構成され、インタフェース回路1303は、プロセッサ1301に接続されて、図5から図9に示す任意の実施形態の方法でCU−CP、CU−UP、CU、またはDUの動作を実行する。具体的には、インタフェース回路1303は、送信および／または受信動作を実行することができる。チップ1300は、通信デバイスで使用されるチップであり得る。
【０１７８】
任意選択で、チップ1300は、メモリ1305をさらに含む。メモリ1305は命令を格納し、命令はプロセッサ1301によって実行される。命令がプロセッサ1301によって実行されているとき、インタフェース回路1303は、前述の態様の方法でCU−CP、CU−UP、CU、またはDUの動作を実行するように制御される。
【０１７９】
本出願では、ネットワークスライスに関する情報を、次のパラメータの少なくとも1つを使用して表すことができる。
【０１８０】
1．ネットワークスライス識別子：ネットワークスライス識別子は、具体的には、1．1から1．7にリストされた以下の情報の1つまたは複数である。
【０１８１】
1．1．ネットワークスライスタイプ情報：ネットワークスライスタイプ情報は、拡張モバイルブロードバンド（enhanced mobile broadband，eMBB）サービス、超信頼性および低遅延通信（ultra-reliable low latency communications，URLLC）、および大規模マシンタイプ通信（massive machine type communication，mMTC）などのネットワークスライスタイプを示すために使用され得る。任意選択で、ネットワークスライスタイプ情報は、RANからCNへのネットワークスライスタイプを含むエンドツーエンドのネットワークスライスタイプをさらに示してもよく、代替として、（R）AN側のネットワークスライスタイプやCN側のネットワークスライスタイプを示してもよい。
【０１８２】
1．2．特定のサービスに関連するサービスタイプ情報。サービスタイプ情報は、ビデオサービス、車両のインターネットサービス、もしくは音声サービスなどのサービス特徴、または特定のサービスに関する情報を示すことができる。
【０１８３】
1．3．ネットワークスライスを作成またはレンタルする顧客に関する情報を示すために使用されるテナント（tenant）情報。例えば、顧客はTencentまたはState Gridである。
【０１８４】
1．4．ユーザレベルなどの特徴に基づいてユーザをグループ化するためのグループ情報を示すために使用されるユーザグループ情報。
【０１８５】
1．5．特徴に基づいてネットワークスライスがグループ化され得ることを示すスライスグループ情報。例えば、UEがアクセスできるすべてのネットワークスライスがスライスグループとして使用され得る。あるいは、ネットワークスライスは別の基準に従ってグループ化されてもよい。
【０１８６】
1．6．ネットワークスライス用に作成されたインスタンスの識別子と特徴情報を示すために使用されるネットワークスライスインスタンス情報。例えば、ネットワークスライスインスタンスを示す識別子は、ネットワークスライスインスタンスに割り当てられてもよく、またはネットワークスライスインスタンスに関連付けられた新しい識別子は、ネットワークスライスインスタンス識別子に基づいてマッピングされてもよい。受信側は、識別子に基づいて、識別子によって示される特定のネットワークスライスインスタンスを識別してもよい。
【０１８７】
1．7．専用コアネットワーク（dedicated core network，DCN）識別子。識別子は、LTEシステムまたはeLTEシステムの専用コアネットワーク、例えば、モノのインターネットの専用コアネットワークを一意に示すために使用される。任意選択で、DCN識別子とネットワークスライス識別子に対してマッピングを実行できる。具体的には、DCN識別子は、ネットワークスライス識別子にマッピングされ得、ネットワークスライス識別子は、DCN識別子にマッピングされ得る。
【０１８８】
ネットワーク側が、ソースセルが属する登録エリア（registration area）またはトラッキングエリア（tracking area）内で、UEが複数のネットワークスライスにアクセスすることを許可する場合、またはパブリックランドモバイルネットワークPLMN（public land mobile network，PLMN）について、ネットワーク側が、ソースセルが属する登録エリアまたはトラッキングエリアで、UEが複数のネットワークスライスにアクセスすることを許可する場合、許可されたネットワークスライスの指示は、複数の許可された（allowed）ネットワークスライス識別子を含む。
【０１８９】
2．単一ネットワークスライスの選択支援情報（single-network slice selection assistance information，S−NSSAI）。S−NSSAIは、少なくともスライスタイプ／サービスタイプ（slice／service type，SST）情報を含み、任意選択で、スライス微分器（slice differentiator，SD）情報をさらに含み得る。SST情報は、ネットワークスライスの動作、例えば、ネットワークスライスの特徴やサービスタイプを示すために使用される。SD情報はSSTの補足情報である。SSTが複数のネットワークスライスの実装を示す場合、SDは一意のネットワークスライスインスタンスに対応し得る。
【０１９０】
ネットワーク側が、ソースセルが属する登録エリア（registration area）またはトラッキングエリア（tracking area）内で、UEが複数のネットワークスライスにアクセスすることを許可する場合、またはパブリックランドモバイルネットワークPLMN（public land mobile network，PLMN）について、ネットワーク側が、ソースセルが属する登録エリアまたはトラッキングエリアで、UEが複数のネットワークスライスにアクセスすることを許可する場合、許可されたネットワークスライスの指示は、複数の許可された（allowed）S−NSSAIを含む。
【０１９１】
3．特徴に基づいたグループ化を示すために使用されるS−NSSAIグループ情報。例えば、UEデバイスがアクセスできる一般的なAMFのすべてのネットワークスライスは、S−NSSAIグループとして使用される。NSSAIは複数のS−NSSAIを含む。
【０１９２】
4．一時識別子（Temporary ID）。一時識別子に関する情報は、CN側ですでに接続されているUEにAMFによって割り当てられ、一時IDはAMFを一意に示すことができる。
【０１９３】
5．（無線）アクセスネットワークのネットワークスライス選択支援情報（（R）AN−NSSAI，R−NSSAI）。この情報は、特定のS−NSSAIのグループ、つまり特定のS−NSSAIのグループを示す。ネットワーク側が、ソースセルが属する登録エリア（registration area）またはトラッキングエリア（tracking area）内で、UEが複数のネットワークスライスにアクセスすることを許可する場合、またはパブリックランドモバイルネットワークPLMN（public land mobile network，PLMN）について、ネットワーク側が、ソースセルが属する登録エリアまたはトラッキングエリアで、UEが複数のネットワークスライスにアクセスすることを許可する場合、許可されたネットワークスライスの指示は、一連の複数の許可された（allowed）R−NSSAIの識別子を含み得る。
【０１９４】
6．許可された（allowed）NSSAI。許可されたNSSAIは、端末デバイスが現在の登録エリアでアクセスすることをネットワークが許可するNSSAIを示す。
【０１９５】
許可されたネットワークスライス情報の特定の符号化形式は限定されないことを理解されたい。確かに、前述の識別子に加えて、ネットワークスライス情報は別の識別子であってもよい。これは本明細書に限定されない。ネットワーク側がUEに複数のネットワークスライスへのアクセスを許可する場合、許可されたネットワークスライスの指示は、許可されたネットワークスライスの指示のリスト形式、例えば、許可されたネットワークスライス選択支援情報リスト（allowed Network Slice Selection Assistance Information list，allowed NSSAI list）、または許可された単一ネットワークスライスの選択支援情報リスト（allowed Single Network Slice Selection Assistance Information list，allowed S−NSSAI list）であり得る。
【０１９６】
本出願の実施形態では、すべてのネットワークスライスは、前述のパラメータの少なくとも1つを使用することによってネットワークスライス情報を表すことができる。例えば、ネットワークスライス情報は、ネットワークスライスタイプを用いて表されてもよいし、ネットワークスライスタイプおよびサービスタイプを用いて表されてもよく、またはサービスタイプおよびテナント情報を用いて表されてもよい。これは、本出願の実施形態において限定されない。ネットワークスライスのネットワークスライス情報を表す方法については、以下で詳細には説明されない。端末デバイス、アクセスネットワークデバイス、またはコアネットワークデバイスが複数のネットワークスライスをサポートする場合、端末デバイス、アクセスネットワークデバイス、またはコアネットワークデバイスでサポートされるネットワークスライスの指示情報は、前述の識別子の少なくとも1つのリスト形式で表されてもよい。
【０１９７】
本出願の技術的解決策は、第5世代モバイル通信（the 5th Generation mobile communication technology，5G）システムまたはさらに開発されたモバイル通信システムに適用され得、さらに基地局内の一部の機能を含むさまざまな形式のシステムに適用され得、さまざまな形式で機能が分離されている。
【０１９８】
本出願の実施形態において、プロセスのシーケンス番号は実行シーケンスを意味しない。プロセスの実行シーケンスは、プロセスの機能や内部ロジックに基づいて決定されるべきであり、本出願の実施形態の実装プロセスに対するいかなる制限も構成するものではない。
【０１９９】
さらに、本明細書における「および／または」という用語は、関連オブジェクトを記述するための関連のみを記述し、3つの関係が存在し得ることを表す。例えば、Aおよび／またはBは、Aのみが存在する場合、AとBの両方が存在する場合、Bのみが存在する場合、の3つの場合を表すことができる。さらに、本明細書中の文字「／」は通常、関連するオブジェクト間の「または」関係を表す。
【０２００】
前述の実施形態のすべてまたはいくつかは、ソフトウェア、ハードウェア、ファームウェア、またはそれらの任意の組み合わせを使用することにより実装され得る。ソフトウェアを使用して実装される場合、実施形態は、完全にまたは部分的にコンピュータプログラム製品の形で実装されてもよい。コンピュータプログラム製品には、1つまたは複数のコンピュータ命令が含まれている。コンピュータプログラム命令がコンピュータにロードされ実行されると、本出願の実施形態による手順または機能は完全にまたは部分的に生成される。コンピュータは、汎用コンピュータ、専用コンピュータ、コンピュータネットワーク、または他のプログラム可能な装置であってもよい。コンピュータ命令は、コンピュータ可読記憶媒体に格納されてもよいし、あるコンピュータ可読記憶媒体から別のコンピュータ可読記憶媒体に送信されてもよい。例えば、コンピュータ命令は、あるウェブサイト、コンピュータ、サーバ、またはデータセンタから別のウェブサイト、コンピュータ、サーバ、またはデータセンタに有線（例えば、同軸ケーブル、光ファイバ、またはデジタル加入者線（DSL））または無線（赤外線、ラジオ、およびマイクロ波など）方式で送信されてもよい。コンピュータ可読記憶媒体は、コンピュータによってアクセス可能な任意の使用可能な媒体であってもよく、または1つまたは複数の使用可能な媒体を統合するサーバまたはデータセンタなどのデータ記憶デバイスであってもよい。使用可能な媒体は、磁気媒体（フロッピー（登録商標）ディスク、ハードディスク、磁気テープなど）、光学媒体（DVDなど）、半導体媒体（ソリッドステートドライブSolid State Disk（SSD）など）であってもよい。
【０２０１】
本出願の目的、技術的解決策、および利点は、前述の特定の実施形態でさらに詳細に説明されている。前述の説明は、本出願の単なる特定の実施形態であり、本出願の保護範囲を限定することは意図されていないことを理解されたい。本出願の技術的解決策に基づいて行われた修正、同等の交換、改善などは、本出願の保護範囲に含まれるものとする。
【符号の説明】
【０２０２】
101  第1の送信機
103  受信機
105  第2の送信機
111  第1の受信機
113  送信機
115  第2の受信機
1000  通信デバイス
1100  通信デバイス
1200  通信デバイス
1201  プロセッサ
1203  通信インタフェース
1205  メモリ
1300  チップ
1301  プロセッサ
1303  インタフェース回路
1305  メモリ
【図１】
0006988004.tif 000025
【図２】
0006988004.tif 000026
【図３】
0006988004.tif 000027
【図４】
0006988004.tif 000028
【図５】
0006988004.tif 000029
【図６】
0006988004.tif 000030
【図７】
0006988004.tif 000031
【図８】
0006988004.tif 000032
【図９】
0006988004.tif 000033
【図１０】
0006988004.tif 000034
【図１１】
0006988004.tif 000035
【図１２】
0006988004.tif 000036
【図１３】
0006988004.tif 000037